(57)【要約】【課題】テクスチャ・マッピングの高速化の妨げになる外部メモリからキャッシュメモリへのテクスチャデータのキャッシングを避け、描画速度の向上を図ることができるようにした画像処理装置を提供する。【解決手段】テクスチャを貼り付ける三角形ごとにテクスチャデータ使用率が境界値以上であるか否かを判定し、境界値以上の場合は、キャッシュメモリ１５を有効とし、境界値未満の場合は、キャッシュメモリ１５を無効とする制御部３１を備えることにより、外部メモリ５からのテクスチャデータのキャッシュメモリ１５へのキャッシングは、テクスチャを貼り付ける三角形のテクスチャデータ使用率が境界値以上の場合にのみ行われ、境界値未満の場合には行われないようにする。【選択図】図１
2008059266.tif 000002
【特許請求の範囲】
【請求項１】
外部メモリが保持するテクスチャデータの一部を保持するためにキャッシュメモリを備える画像処理装置であって、
テクスチャ貼り付け図形ごとにテクスチャデータ使用率が所定値以上であるか否かを判定し、所定値以上の場合は、前記キャッシュメモリを有効とし、所定値未満の場合は、前記キャッシュメモリを無効とする制御部を備える
ことを特徴とする画像処理装置。
【請求項２】
前記制御部は、前記テクスチャ貼り付け図形ごとに、オブジェクト座標系での縦方向への１ピクセル分の変化及び横方向への１ピクセル分の変化に対するそれぞれの場合のテクスチャの座標増分値から、前記テクスチャデータ使用率が所定値以上であるか否かを判定する
ことを特徴とする請求項１記載の画像処理装置。
【発明の詳細な説明】
【技術分野】
【０００１】
本発明は、コンピュータ・グラフィックスにおいて、テクスチャ・マッピングを行う場合に使用して好適な画像処理装置に関する。
【背景技術】
【０００２】
テクスチャ・マッピングは、描画するオブジェクトの表面にテクスチャを貼り付けることにより写実性の高い描画を行う手法である。図２はテクスチャ・マッピングの例を示しており、この例では、オブジェクト表面の一部分である三角形１にテクスチャ２の三角形ＡＢＣの部分を貼り付ける場合を示している。なお、（ｘ、ｙ）はオブジェクト座標、（ｓ、ｔ）はテクスチャ座標を示している。
【０００３】
図３はテクスチャ・マッピングを行う場合に使用される従来の画像処理装置の一例を外部メモリと共に示す図である。図３中、５はテクスチャデータを格納する外部メモリであり、例えば、４０９６×４０９６テクセルの容量を持ち、テクスチャデータを格納するものである。６は従来の画像処理装置の一例であり、演算部７〜９、判定部１０、セレクタ１１、アドレス生成部１２、１３、セレクタ１４、キャッシュメモリ１５、セレクタ１６及びピクセル加工部１７などを備えている。
【０００４】
演算部７は、オブジェクト座標系でのｙ方向への１ピクセル分の変化に対するテクスチャを貼り付ける三角形のｘ座標増分値ｄｘ／ｄｙ及びテクスチャのｓ座標増分値ｄｓ／ｄｙ、ｔ座標増分値ｄｔ／ｄｙ、ｑ座標増分値ｄｑ／ｄｙを演算するものである。
【０００５】
演算部８は、演算部７による演算結果から、オブジェクト座標系でのｘ方向への１ピクセル分の変化に対するテクスチャのｓ座標増分値ｄｓ／ｄｘ、ｔ座標増分値ｄｔ／ｄｘ、ｑ座標増分値ｄｑ／ｄｘを演算するものである。
【０００６】
演算部９は、演算部７、８の演算結果から、テクスチャを貼り付ける三角形の内部の各ピクセル（ｘ、ｙ）に対応するテクスチャ座標（ｓ、ｔ、ｑ）を演算する演算部である。判定部１０は、キャッシュメモリ１５にキャッシングされているテクスチャデータのタグ情報から、キャッシュメモリ１５内に演算部９が演算したテクスチャ座標（ｓ、ｔ）のテクスチャデータがあるか否かを判定するものである。
【０００７】
判定部１０が、キャッシュメモリ１５内に、演算部９が演算したテクスチャ座標（ｓ、ｔ）のテクスチャデータがあると判定した場合には、キャッシュメモリ１５からのテクスチャデータの読み出しが行われる。これに対して、判定部１０は、キャッシュメモリ１５内に、演算部９が演算したテクスチャ座標（ｓ、ｔ）のテクスチャデータがないと判定した場合には、演算部９が演算したテクスチャ座標（ｓ、ｔ、ｑ）をセレクタ１１を介してアドレス生成部１２又はアドレス生成部１３に与える。
【０００８】
セレクタ１１は、キャッシュメモリ１５を有効とするか無効とするかを設定するためのキャッシュメモリ有効／無効設定信号に選択動作を制御され、キャッシュメモリ有効／無効設定信号がキャッシュメモリ１５を有効としている場合は、判定部１０が出力するテクスチャ座標（ｓ、ｔ、ｑ）をアドレス生成部１２に与え、キャッシュメモリ有効／無効設定信号がキャッシュメモリ１５を無効としている場合は、判定部１０が出力するテクスチャ座標（ｓ、ｔ、ｑ）をアドレス生成部１３に与えるものである。
【０００９】
アドレス生成部１２は、セレクタ１１を介して判定部１０からテクスチャ座標（ｓ、ｔ、ｑ）が与えられたときは、テクスチャ座標（ｓ、ｔ）のテクスチャデータを含む所定の大きさのブロックのテクスチャデータを外部メモリ５から読み出すために必要なアドレスを生成して出力するものである。
【００１０】
アドレス生成部１３は、セレクタ１１を介して判定部１０からテクスチャ座標（ｓ、ｔ、ｑ）が与えられたときは、テクスチャ座標（ｓ、ｔ）のテクスチャデータを外部メモリ５から読み出すために必要なアドレスを生成して出力するものである。
【００１１】
セレクタ１４は、キャッシュメモリ有効／無効設定信号に選択動作を制御され、キャッシュメモリ有効／無効設定信号がキャッシュメモリ１５を有効としている場合は、アドレス生成部１２が出力するアドレスを外部メモリ５に与え、キャッシュメモリ有効／無効設定信号がキャッシュメモリ１５を無効としている場合は、アドレス生成部１３が出力するアドレスを外部メモリ５に与えるものである。
【００１２】
キャッシュメモリ１５は、外部メモリ５が格納しているテクスチャデータの一部を所定の大きさのブロック単位で保持させるためのものであり、例えば、６４×６４テクセルの容量を持つものである。
【００１３】
セレクタ１６は、キャッシュメモリ有効／無効設定信号に選択動作を制御され、キャッシュメモリ有効／無効設定信号がキャッシュメモリ１５を有効としている場合は、キャッシュメモリ１５から読み出されるテクスチャデータをピクセル加工部１７に与え、キャッシュメモリ有効／無効設定信号がキャッシュメモリ１５を無効としている場合は、外部メモリ５から読み出されるテクスチャデータをピクセル加工部１７に与えるものである。
【００１４】
ピクセル加工部１７は、セレクタ１６を介して与えられるキャッシュメモリ１５又は外部メモリ５から読み出したテクスチャデータを使用してテクスチャを貼り付ける三角形の内部のピクセルの加工を行うものである。
【００１５】
このように構成された従来の画像処理装置６においては、キャッシュメモリ有効／無効設定信号がキャッシュメモリ１５を有効としている場合において、テクスチャを貼り付ける三角形に使用するテクスチャデータがキャッシュメモリ１５にある場合には、キャッシュメモリ１５からテクスチャデータが読み出されてピクセル加工部１７に与えられる。
【００１６】
また、キャッシュメモリ有効／無効設定信号がキャッシュメモリ１５を有効としている場合において、テクスチャを貼り付ける三角形に使用するテクスチャデータがキャッシュメモリ１５にない場合には、そのテクスチャデータを含む所定の大きさのブロックのテクスチャデータが外部メモリ５からキャッシュメモリ１５にキャッシングされた後、テクスチャを貼り付ける三角形に使用するテクスチャデータがキャッシュメモリ１５から読み出されてピクセル加工部１７に与えられる。
【００１７】
また、キャッシュメモリ有効／無効設定信号がキャッシュメモリ１５を無効としている場合には、判定部１０は、テクスチャを貼り付ける三角形に使用するテクスチャデータはキャッシュメモリ１５にないと判定する。この結果、アドレス生成部１３は、判定部１０から与えられるテクスチャ座標（ｓ、ｔ）のテクスチャデータを読み出すためのアドレスを生成して外部メモリ５に与え、そして、この結果、外部メモリ５から読み出されたテクスチャデータがピクセル加工部１７に与えられる。即ち、テクスチャを貼り付ける三角形の内部の１ピクセルごとのテクスチャデータが外部メモリ５からピクセル加工部１７に与えられる。
【００１８】
このように、従来の画像処理装置６は、キャッシュメモリ１５を設け、外部メモリ５が格納しているテクスチャデータの一部をキャッシュメモリ１５にキャッシングすることにより、外部メモリ５に対するアクセス発生数を減らし、描画処理の高速化を図ることができるようにしている。
【特許文献１】特開平１０−１１５９４号公報
【特許文献２】特開平１０−３３４２７３号公報
【特許文献３】特開２００３−１９６６７４号公報
【発明の開示】
【発明が解決しようとする課題】
【００１９】
図４は従来の画像処理装置６が有する問題点を説明するための図である。図４中、２０はテクスチャ、２１〜２５はオブジェクト表面上のテクスチャ２０を貼り付ける四角形を示している。
【００２０】
四角形２１は、回転させていない状態を示している。この場合には、四角形２１の外郭線２６、２７に着目した場合のオブジェクト座標系でのｘ方向への１ピクセル分の変化に対するテクスチャ２０のｓ座標増分値ｄｓ／ｄｘ＝１、ｔ座標増分値ｄｔ／ｄｘ＝０となり、オブジェクト座標系でのｙ方向への１ピクセル分の変化に対するオブジェクト２０のｓ座標増分値ｄｓ／ｄｙ＝０、ｔ座標増分値ｄｔ／ｄｙ＝１となる。したがって、この場合のテクスチャ２０の使用率は１００％である。
【００２１】
四角形２２は、四角形２１を回転させたものであり、四角形２２の外郭線２６、２７に着目した場合のオブジェクト座標系でのｘ方向への１ピクセル分の変化に対するテクスチャ２０のｓ座標増分値ｄｓ／ｄｘ＝１.１、ｔ座標増分値ｄｔ／ｄｘ＝−０.１、オブジェクト座標系でのｙ方向への１ピクセル分の変化に対するテクスチャ２０のｓ座標増分値ｄｓ／ｄｙ＝０、ｔ座標増分値ｄｔ／ｄｙ＝１の状態を示している。この場合のテクスチャ２０の使用率は約８０％である。
【００２２】
四角形２３は、四角形２１を四角形２２以上に回転させたものであり、四角形２３の外郭線２６、２７に着目した場合のオブジェクト座標系でのｘ方向への１ピクセル分の変化に対するテクスチャ２０のｓ座標増分値ｄｓ／ｄｘ＝１.５、ｔ座標増分値ｄｔ／ｄｘ＝−０.３、オブジェクト座標系でのｙ方向への１ピクセル分の変化に対するオブジェクト２０のｓ座標増分値ｄｓ／ｄｙ＝０、ｔ座標増分値ｄｔ／ｄｙ＝１の状態を示している。この場合のテクスチャ２０の使用率は約５０％である。
【００２３】
四角形２４は、四角形２１を四角形２３以上に回転させたものであり、四角形２４の外郭線２６、２７に着目した場合のオブジェクト座標系でのｘ方向への１ピクセル分の変化に対するオブジェクト２０のｓ座標増分値ｄｓ／ｄｘ＝２.２、ｔ座標増分値ｄｔ／ｄｘ＝−０.５、オブジェクト座標系でのｙ方向への１ピクセル分の変化に対するオブジェクト２０のｓ座標増分値ｄｓ／ｄｙ＝０、ｔ座標増分値ｄｔ／ｄｙ＝１の状態を示している。この場合のテクスチャ２０の使用率は約３０％である。
【００２４】
四角形２５は、四角形２１を四角形２４以上に回転させたものであり、四角形２５の外郭線２６、２７に着目した場合のオブジェクト座標系でのｘ方向への１ピクセル分の変化に対するオブジェクト２０のｓ座標増分値ｄｓ／ｄｘ＝４、ｔ座標増分値ｄｔ／ｄｘ＝−０.７、オブジェクト座標系でのｙ方向への１ピクセル分の変化に対するオブジェクト２０のｓ座標増分値ｄｓ／ｄｙ＝０、ｔ座標増分値ｄｔ／ｄｙ＝１の状態を示している。この場合のテクスチャ２０の使用率は約２０％である。
【００２５】
このように、テクスチャ貼り付け図形が斜めに描画されるほど、必要とするテクスチャデータ量は少なくなるが、図３に示す従来の画像処理装置６では、キャッシュメモリ１５を有効とする場合において、演算部９が演算したテクスチャ座標（ｓ、ｔ）のテクスチャデータがキャッシュメモリ１５にない場合には、テクスチャを貼り付ける図形に使用するテクスチャデータ量が少ない場合であっても、外部メモリ５から所定の大きさのブロック単位でのテクスチャデータのキャッシュメモリ１５へのキャッシングが行われることになるので、これがテクスチャ・マッピングの高速化を妨げ、描画速度の低下を招くことになる。テクスチャを貼り付ける図形が小さく描画される場合も同様である。
【００２６】
なお、テクスチャを貼り付ける図形が斜めに描画される場合や小さく描画される場合には、あらかじめ用意しておいた小さなテクスチャを貼り付けるというミップマップ技術が知られているが、このミップマップ技術を使用する場合には、オリジナルのテクスチャを１／２、１／４、１／８などに縮小したテクスチャが必要となり、外部メモリ５に格納するテクスチャデータ量が多くなるため、外部メモリ５として、容量が大きく、価格の高いメモリを使用しなければならないという問題点が発生する。
【００２７】
本発明は、かかる点に鑑み、テクスチャ貼り付ける図形のテクスチャデータ使用率が所定値未満と低く、外部メモリからのテクスチャデータのキャッシュメモリへのキャッシングを行うと、むしろテクスチャ・マッピングの高速化の妨げになる外部メモリからキャッシュメモリへのテクスチャデータのキャッシングを避け、描画速度の向上を図ることができるようにした画像処理装置を提供することを目的とする。
【課題を解決するための手段】
【００２８】
本発明は、外部メモリが保持するテクスチャデータの一部を保持するためにキャッシュメモリを備える画像処理装置であって、テクスチャ貼り付け図形ごとにテクスチャデータ使用率が所定値以上であるか否かを判定し、所定値以上の場合は、前記キャッシュメモリを有効とし、所定値未満の場合は、前記キャッシュメモリを無効とする制御部を備えるものである。
【００２９】
前記制御部は、例えば、前記テクスチャ貼り付け図形ごとに、オブジェクト座標系での縦方向への１ピクセル分の変化及び横方向への１ピクセル分の変化に対するそれぞれの場合のテクスチャの座標増分値から、前記テクスチャデータ使用率が所定値以上であるか否かを判定するように構成される。
【発明の効果】
【００３０】
本発明によれば、制御部は、テクスチャ貼り付け図形ごとにテクスチャデータ使用率が所定値以上であるか否かを判定し、所定値以上の場合は、キャッシュメモリを有効とし、所定値未満の場合は、キャッシュメモリを無効とする。この結果、外部メモリからのテクスチャデータのキャッシュメモリへのキャッシングは、テクスチャ貼り付け図形のテクスチャデータ使用率が所定値以上の場合にのみ行われ、所定値未満の場合には行われないことになる。
【００３１】
したがって、テクスチャ貼り付け図形のテクスチャデータ使用率が所定値未満と低く、外部メモリからのテクスチャデータのキャッシュメモリへのキャッシングを行うと、むしろテクスチャ・マッピングの高速化の妨げになる外部メモリからのテクスチャデータのキャッシュメモリへのキャッシングを避け、描画速度の向上を図ることができる。
【発明を実施するための最良の形態】
【００３２】
図１は本発明の一実施形態を外部メモリと共に示す図である。図１中、５は前述した外部メモリ、３０は本発明の一実施形態であり、本発明の一実施形態３０は、図３に示す従来の画像処理装置６が備える演算部７〜９、判定部１０、アドレス生成部１２、１３、セレクタ１４、キャッシュメモリ１５、セレクタ１６及びピクセル加工部１７を設けると共に、セレクタ１１を削除して、キャッシュメモリ１５を有効にするか無効にするかを制御する制御部３１を設けている。
【００３３】
制御部３１には、キャッシュメモリ有効／無効境界設定信号が与えられる。このキャッシュメモリ有効／無効境界設定信号は、キャッシュメモリ１５を有効にするか無効にするかを決定するための境界値として、テクスチャを貼り付ける三角形のテクスチャデータ使用率を示すものである。
【００３４】
また、制御部３１には、テクスチャを貼り付ける三角形ごとに、演算部７から、テクスチャを貼り付ける三角形の外郭線に着目した場合のオブジェクト座標系でのｙ方向への１ピクセル分の変化に対するテクスチャのｓ座標増分値ｄｓ／ｄｙ、ｔ座標増分値ｄｔ／ｄｙが与えられ、演算部８から、テクスチャを貼り付ける三角形の外郭線に着目した場合のオブジェクト座標系でのｘ方向への１ピクセル分の変化に対するテクスチャのｓ座標増分値ｄｓ／ｄｘ、ｔ座標増分値ｄｔ／ｄｘが与えられる。
【００３５】
また、制御部３１には、判定部１０がキャッシュメモリ１５内に演算部９が演算したテクスチャ座標（ｓ、ｔ）のテクスチャデータがないと判定した場合には、判定部１０から、演算部９が演算したテクスチャ座標（ｓ、ｔ、ｑ）が与えられる。
【００３６】
制御部３１は、判定部１０から演算部９が演算したテクスチャ座標（ｓ、ｔ、ｑ）が与えられたときは、演算部７、８から与えられる座標増分値ｄｓ／ｄｘ、ｄｓ／ｄｙ、ｄｔ／ｄｘ、ｄｔ／ｄｙから、テクスチャを貼り付ける三角形のテクスチャデータ使用率がキャッシュメモリ有効／無効境界設定信号が示す境界値以上であるか否かを判定し、境界値以上の場合は、キャッシュメモリ１５を有効とし、アドレス生成部１２に判定部１０から与えられたテクスチャ座標（ｓ、ｔ、ｑ）を与え、境界値未満の場合は、キャッシュメモリ１５を無効とし、アドレス生成部１３に判定部１０から与えられたテクスチャ座標（ｓ、ｔ、ｑ）を与えるように構成される。
【００３７】
また、制御部３１は、キャッシュメモリ１５を有効とし、アドレス生成部１２に判定部１０から与えられたテクスチャ座標（ｓ、ｔ、ｑ）を与える場合には、選択制御信号ＳＣにより、アドレス生成部１２が出力するアドレスを外部メモリ５に与えるようにセレクタ１４を制御すると共に、キャッシュメモリ１５から読み出されるテクスチャデータをピクセル加工部１７に与えるようにセレクタ１６を制御し、また、キャッシュメモリ１５を無効とし、アドレス生成部１３に判定部１０から与えられたテクスチャ座標（ｓ、ｔ、ｑ）を与える場合には、選択制御信号ＳＣにより、アドレス生成部１３が出力するアドレスを外部メモリ５に与えるようにセレクタ１４を制御すると共に、外部メモリ５から読み出されるテクスチャデータをピクセル加工部１７に与えるようにセレクタ１６を制御するように構成される。
【００３８】
このように構成された本発明の一実施形態３０においては、判定部１０が演算部９により演算されたテクスチャ座標（ｓ、ｔ）のテクスチャデータがキャッシュメモリ１５にあると判定した場合には、キャッシュメモリ１５から、演算部９により演算されたテクスチャ座標（ｓ、ｔ）のテクスチャデータが読み出されてセレクタ１６を介してピクセル加工部１７に与えられる。
【００３９】
これに対して、判定部１０が演算部９により演算されたテクスチャ座標（ｓ、ｔ）のテクスチャデータがキャッシュメモリ１５にないと判定した場合には、判定部１０から制御部３１に、演算部９により演算されたテクスチャ座標（ｓ、ｔ、ｑ）が与えられる。
【００４０】
この場合、制御部３１は、演算部７、８から与えられる座標増分値ｄｓ／ｄｘ、ｄｓ／ｄｙ、ｄｔ／ｄｘ、ｄｔ／ｄｙから、テクスチャを貼り付ける三角形のテクスチャデータ使用率がキャッシュメモリ有効／無効境界設定信号が示す境界値以上であるか否かを判定する。
【００４１】
そして、制御部３１は、テクスチャを貼り付ける三角形のテクスチャデータ使用率が境界値以上であると判定した場合には、キャッシュメモリ１５を有効とし、アドレス生成部１２に判定部１０から与えられたテクスチャ座標（ｓ、ｔ、ｑ）を与える。
【００４２】
この結果、アドレス生成部１２は、テクスチャ座標（ｓ、ｔ）のテクスチャデータを含む所定の大きさのブロックのテクスチャデータを外部メモリ５から読み出すために必要なアドレスを生成して出力する。そして、これに応じて、テクスチャ座標（ｓ、ｔ）のテクスチャデータを含む所定の大きさのブロックのテクスチャデータが外部メモリ５から読み出されてキャッシュメモリ１５にキャッシングされ、その後、テクスチャを貼り付ける三角形に使用するテクスチャデータがキャッシュメモリ１５から読み出されてピクセル加工部１７に与えられる。
【００４３】
これに対して、制御部３１がテクスチャを貼り付ける三角形のテクスチャデータ使用率が境界値未満であると判定した場合には、制御部３１は、キャッシュメモリ１５を無効とし、アドレス生成部１３に判定部１０から与えられたテクスチャ座標（ｓ、ｔ、ｑ）を与える。
【００４４】
この結果、アドレス生成部１３は、テクスチャ座標（ｓ、ｔ）のテクスチャデータを外部メモリ５から読み出すために必要なアドレスを生成して出力する。そして、これに応じて、テクスチャ座標（ｓ、ｔ）のテクスチャデータが外部メモリ５から読み出されてピクセル加工部１７に与えられる。即ち、この場合には、テクスチャを貼り付ける三角形の内部のピクセルごとのテクスチャデータが外部メモリ５からピクセル加工部１７に与えられることになる。
【００４５】
以上のように、本発明の一実施形態３０によれば、テクスチャを貼り付ける三角形ごとに、テクスチャデータ使用率が境界値以上であるか否かを判定し、境界値以上の場合は、キャッシュメモリ１５を有効とし、境界値未満の場合は、キャッシュメモリ１５を無効とする制御部３１を備えるとしているので、外部メモリ５からのテクスチャデータのキャッシュメモリ１５へのキャッシングは、テクスチャを貼り付ける三角形のテクスチャデータ使用率が境界値以上の場合にのみ行われ、境界値未満の場合には行われない。
【００４６】
したがって、テクスチャを貼り付ける三角形のテクスチャデータ使用率が境界値未満と低く、外部メモリ５からのテクスチャデータのキャッシュメモリ１５へのキャッシングを行うと、むしろテクスチャ・マッピングの高速化の妨げになる外部メモリ５からのテクスチャデータのキャッシュメモリ１５へのキャッシングを避け、描画速度の向上を図ることができる。
【００４７】
なお、本発明の一実施形態３０においては、キャッシュメモリ有効／無効境界設定信号は、キャッシュメモリ１５を有効にするか無効にするかを決定するための境界値として、テクスチャを貼り付ける三角形のテクスチャデータ使用率を示すものとしたが、この代わりに、座標増分値ｄｓ／ｄｙ、ｄｓ／ｄｘ、ｄｔ／ｄｙ、ｄｔ／ｄｘを示すものとし、制御部３１は、演算部７、８から与えられる座標増分値ｄｓ／ｄｙ、ｄｓ／ｄｘ、ｄｔ／ｄｙ、ｄｔ／ｄｘとキャッシュメモリ有効／無効境界設定信号が示す座標増分値ｄｓ／ｄｙ、ｄｓ／ｄｘ、ｄｔ／ｄｙ、ｄｔ／ｄｘを比較してテクスチャデータ使用率を判断し、キャッシュメモリを有効とするか無効とするかを判定するように構成しても良い。
【００４８】
また、ミップマップ技術を使用し、制御部３１において、演算部７、８から与えられる座標増分値ｄｓ／ｄｙ、ｄｓ／ｄｘ、ｄｔ／ｄｙ、ｄｔ／ｄｘからミップマップレベルを算出するとしている場合には、算出したミップマップレベルの大きさにより、キャッシュメモリ１５を有効とするか無効とするかを判定するようにしても良い。
【図面の簡単な説明】
【００４９】
【図１】本発明の一実施形態を外部メモリと共に示す図である。
【図２】テクスチャ・マッピングの例を示す図である。
【図３】従来の画像処理装置の一例を外部メモリと共に示す図である。
【図４】図３に示す従来の画像処理装置が有する問題点を説明するための図である。
【符号の説明】
【００５０】
１…三角形
２…テクスチャ
５…外部メモリ
６…従来の画像処理装置の一例
７〜９…演算部
１０…判定部
１１…セレクタ
１２、１３…アドレス生成部
１４…セレクタ
１５…キャッシュメモリ
１６…セレクタ
１７…ピクセル加工部
２０…テクスチャ
２１〜２５…四角形
２６、２７…外郭線
３０…本発明の一実施形態
３１…制御部
【図１】
2008059266.tif 000003
【図２】
2008059266.tif 000004
【図３】
2008059266.tif 000005
【図４】
2008059266.tif 000006